(57)【要約】【課題】  本発明は、作業用具と柄を一体にすることで鍛造金型も大きくなり、必然的に鍛造プレス機も大型となり製造が繁雑となる。また、全体が鋼製となることで相応の重量となり取り扱い・収納が不便である。そこで、本発明は、着脱ができ複数の作業に使用できる多機能作業用具及び柄を提案するものである。【解決手段】  本発明は、Ｌ状の胴部の先端を二股として引抜き部を形成し、胴部の根元に雄ネジを設けた差込み部を形成した釘抜き部と、胴部の先方に引上げ部を形成し、根元に雄ネジを設けた差込み部を形成した平爪部とを、任意の長さのパイプ本体の両端に雌ネジを設け、前記各差込み部の雄ネジで締結着脱できるようにしたことで上記記載の課題を解決できる。【選択図】図１
2009279743.tif 000002
【特許請求の範囲】
【請求項１】
Ｌ状の胴部の先端を二股として引抜き部を形成し、胴部の根元に雄ネジを設けた差込み部を形成した釘抜き部と、胴部の先方に引上げ部を形成し、根元に雄ネジを設けた差込み部を形成した平爪部とを、任意の長さのパイプ本体の両端に雌ネジを設け、前記各差込み部の雄ネジで締結してなる多機能作業用具及び柄において、力の加わる作用方向が長手方向となる円形状断面からなるパイプ本体の両端部分開口部に雌ネジを形成し、前記両端部分開口部雌ネジに前記釘抜き部と、前記平爪部の胴部の根元に設けた雄ネジからなる差込み部を締結着脱できることを特徴とする多機能作業用具及び柄。
【請求項２】
請求項１記載の多機能作業用具及び柄において、釘抜き部と平爪部に替えて複数の作業用具を形成し、力の加わる作用方向が長手方向となる円形状断面からなるパイプ本体の両端部分開口部の雌ネジに、前記作業用具の胴部の根元に設けた雄ネジからなる差込み部を締結着脱できることを特徴とする多機能作業用具及び柄。
【発明の詳細な説明】
【技術分野】
【０００１】  本発明は、複数の作業用具及び柄に関するものである。
【背景技術】
【０００２】  従来、の作業用具の柄は、基本的に作業用具と柄が一つで一体に形成されている。また、複数の作業用具と柄は、鋼材で一体に鍛造形成されている。
【特許文献１】  特願平８−３２６００２  公報
【発明の開示】
【発明が解決しようとする課題】
【０００３】  本発明は、作業用具と柄を一体にすることで鍛造金型も大きくなり、必然的に鍛造プレス機も大型となり製造が繁雑となる。また、全体が鋼製となることで相応の重量となり取り扱い・収納が不便である。そこで、柄の部分に棒状とした円形状断面のパイプを採用することで、複数の作業用具の部品化と着脱が可能となる、従って、本発明は、製造が容易で上記記載の問題点を解決でき、かつ、複数の作業に使用できる多機能作業用具及び柄を提案するものである。
【課題を解決するための手段】
【０００４】  請求項１に記載の発明は、Ｌ状の胴部の先端を二股として引抜き部を形成し、胴部の根元に雄ネジを設けた差込み部を形成した釘抜き部と、胴部の先方に引上げ部を形成し、根元に雄ネジを設けた差込み部を形成した平爪部とを、任意の長さのパイプ本体の両端に雌ネジを設け、前記各差込み部の雄ネジで締結してなる多機能作業用具及び柄において、力の加わる作用方向が長手方向となる円形状断面からなるパイプ本体の両端部分開口部に雌ネジを形成し、前記両端部分開口部雌ネジに前記釘抜き部と、前記平爪部胴部の根元に設けた雄ネジからなる差込み部を締結着脱できることを特徴とする多機能作業用具及び柄である。
なお、前記両端部分開口部雌ネジ以外の円形状断面からなるパイプ本体は、必ずしも前記パイプ本体の柄の形状に限定するものではない。
よって、前記両端部分開口部雌ネジに、前記釘抜き部と前記平爪部の差込み部の雄ネジを締結着脱できることで一体化した状態で作業することができる。【０００５】  請求項２に記載の発明は、請求項１記載の多機能作業用具及び柄において、釘抜き部と平爪部に替えて複数の作業用具を形成し、力の加わる作用方向が長手方向となる円形状断面からなるパイプ本体の両端部分開口部の雌ネジに、前記作業用具の胴部の根元に設けた雄ネジからなる差込み部を締結着脱できることを特徴とする多機能作業用具及び柄である。
なお、前記両端部分開口部雌ネジ以外の円形状断面からなるパイプ本体は、必ずしも前記パイプ本体の柄の形状に限定するものではない。
よって、前記両端部分開口部雌ネジに、前記複数の作業用具の雄ネジからなる差込み部を締結着脱できることで一体化した状態で作業することができる。
また、前記複数の作業用具とは、スコップ・ホーク・レーキ・テコ棒・ツルハシ・鍬・草削り・握り柄等のことである。
【発明の効果】
【０００６】  請求項１に記載の発明は、Ｌ状の胴部の先端を二股として引抜き部を形成し、胴部の根元に雄ネジを設けた差込み部を形成した釘抜き部と、胴部の先方に引上げ部を形成し、根元に雄ネジを設けた差込み部を形成した平爪部とを、任意の長さのパイプ本体の両端に雌ネジを設け、前記各差込み部の雄ネジで締結してなる多機能作業用具及び柄において、力の加わる作用方向が長手方向となる円形状断面からなるパイプ本体の両端部分開口部に雌ネジを形成し、前記両端部分開口部雌ネジに前記釘抜き部と、前記平爪部胴部の根元に設けた雄ネジからなる差込み部を締結着脱できることを特徴とする多機能作業用具及び柄である。
従って、前記引抜き部と引上げ部は、容易にパイプ本体の両端部に締結着脱できるので、先端が鋭利となるテコ棒や幅広のケレン工具・大工工具・ハンマーやツルハシ・その他柄付き用具全般の胴部の根元に雄ネジからなる差込み部を設けることで、複数のパターンで組合わせて使用することも可能である。【０００７】  請求項２に記載の発明は、請求項１記載の多機能作業用具及び柄において、釘抜き部と平爪部に替えて複数の作業用具を形成し、力の加わる作用方向が長手方向となる円形状断面からなるパイプ本体の両端部分開口部の雌ネジに、前記作業用具の胴部の根元に設けた雄ネジからなる差込み部を締結着脱できることを特徴とする多機能作業用具及び柄である。
従って、前記複数の作業用具は容易にパイプ本体の両端部に締結着脱できるので、先端が鋭利となるテコ棒や幅広のケレン工具・大工工具・ハンマーやツルハシ・その他柄付き用具全般の胴部の根元に雄ネジからなる差込み部を設けることで、複数のパターンで組合わせて使用することも可能である。【０００８】  次に、本発明の柄の両端部分を除くパイプ本体を中空パイプとしたことで、前記釘抜き部と平爪部等や前記複数の作業用具の作用方向に均等な強度と曲げに対する耐久力を得るようになった。また、前記パイプ本体に木材・集成材等を使用しても良い。【０００９】  本発明は、上記記載のような構成で、請求項１・２記載の作業用具及び柄を複数のパターンで組合わせて使用することができる。また、両端部分を除くパイプ本体は必ずしも円形状断面とするものではない。また、柄に対して機能性を高めるような屈曲部・曲線部分を設けた多彩なデザインとしても良い。さらに、パイプ本体を長尺として使用する場合、雄ネジ付きや別途パイプに補助用雌ネジ穴を複数設け、状況に応じて補助用雄ネジを締結し長さを調整できる長柄とすることも可能である。【００１０】  また、防災対策用・建設現場作業・農作業・その他の広範囲の作業用具して、上記記載以外の作業用具の胴部の根元を改良して雄ネジを取付けることで、本発明の作業用具の柄を前記雄ネジに対応できるように雌ネジ部を拡大・縮小等の加工をすることで多用途の作業に使用することもできる。従って、前記パイプ本体の材質・形状に関しては、特別限定とするものではない。
【発明を実施するための最良の形態】
【００１１】  （実施形態１）  以下、実施例を図面を参照して説明する。
図１は、請求項１記載の斜視図である。引抜き部Ａの釘抜き部１は、胴部の根元に段差を（パイプ本体の厚みに対応）介して差込み部１ａを形成し、前記差込み部は、雄ネジを形成した円形状断面である。また、引上げ部Ｂの平爪部２は、胴部の根元に段差を（パイプ本体の厚みに対応）介して差込み部２ａを形成し、前記差込み部は、雄ネジを形成した円形状断面である。
次に、図１で多機能作業用具及び柄を使用する作業工程を説明する。
Ｌ状の胴部の先端を二股として引抜き部Ａに形成され、胴部の根元に雄ネジを設けた差込み部１ａを形成した釘抜き部１で被対象物に抵触させ釘類を引抜く、また、胴部の先方に引上げ部Ｂを形成し、根元に雄ネジを設けた差込み部２ａを形成した平爪部２で被対象物に抵触させ目的物を引上げる。次に、作業工程前に多機能作業用具及び柄に関する使用準備について説明する。パイプ本体３の両端の雌ネジ３ｂに引抜き部Ａと引上げ部Ｂの差込み部１ａ・２ａを締結してから作業を行う。
次に、作業を終了後に引抜き部Ａと引上げ部Ｂの締結を解除し部品化して収納する。【００１２】  （実施形態２）  以下、実施例を図面を参照して説明する。
図２は、請求項２記載の斜視図である。複数の作業用具Ｃは、胴部の根元に段差を（パイプ本体の厚みに対応）介して差込み部１ａ・２ａを形成し、前記差込み部は、雄ネジを形成した円形状断面である。
次に、図２で多機能作業用具及び柄を使用する作業工程を説明する。
請求項２記載の多機能作業用具及び柄において、釘抜き部１と平爪部２に替えて複数の作業用具Ｃを、胴部の根元に雄ネジを設けた各差込み部１ａ・２ａで被対象物に抵触させ目的物に対する作業を行う。
次に、作業工程前に多機能作業用具及び柄に関する使用準備について説明する。パイプ本体３の両端の雌ネジ３ｂに各用途にあった雄ネジを設けた複数の作業用具Ｃの各差込み部１ａ・２ａを締結してから作業を行う。
次に、作業を終了後に複数の作業用具Ｃの締結を解除し部品化して収納する。【００１３】  （実施形態３）  以下、実施例を図面を参照して説明する。
図３は、請求項１・２記載共通の斜視図である。引抜き部Ａと引上げ部Ｂまたは複数の作業用具Ｃは、胴部の根元に段差を（パイプ本体の厚みに対応）介して差込み部１ａ・２ａを形成し、前記差込み部は、雄ネジを形成した円形状断面である。
次に、図３で多機能作業用具及び柄を使用する作業工程を説明する。
請求項１・２記載共通の多機能作業用具及び柄において、引抜き部Ａと引上げ部Ｂまたは複数の作業用具Ｃは、胴部の根元に雄ネジを設けた各差込み部１ａ・２ａで被対象物に抵触させ目的物に対する作業を行う。
次に、作業工程前に多機能作業用具及び柄に関する使用準備について説明する。パイプ本体３の両端の雌ネジ３ｂにパイプ本体３の両端の雌ネジ３ｂに各用途にあった雄ネジを設けた複数の作業用具Ｃの各差込み部１ａ・２ａを締結してから作業を行う。
次に、作業を終了後に引抜き部Ａと引上げ部Ｂと複数の作業用具Ｃの締結を解除し部品化して収納する。
なお、引抜き部Ａと引上げ部Ｂと複数の作業用具Ｃにパイプ本体３の柄を締結するの際、図４に示すように差込み部１ａ・２ａの雄ネジをパイプ本体３の両端の雌ネジ３ｂに締結し、その後に、補助用雄ネジＸで離脱防止を二重にするため、パイプ本体３の両端部開口部３ａと雄ネジを設けた各差込み部１ａ・２ａとの中間部に、補助用雌ネジ穴Ｙを設けて双方を係合した状態でドライバー等で締結着脱できるようにすることも可能である。
【図面の簡単な説明】
【００１４】
【図１】  請求項１の斜視図である。
【図２】  請求項２の斜視図である。
【図３】  請求項１・２共通の一例の斜視図である。
【図４】  請求項１・２共通の一例の斜視図である。
【符号の説明】
【００１５】  Ａ  引抜き部
Ｂ  引上げ部
Ｃ  複数の作業用具
１  釘抜き部
２  平爪部
３  パイプ本体
１ａ，２ａ  差込み部
３ａ  開口部
３ｂ  雌ネジ
ｘ  補助用雄ネジ
Ｙ  補助用雌ネジ穴
【図１】
2009279743.tif 000003
【図２】
2009279743.tif 000004
【図３】
2009279743.tif 000005
【図４】
2009279743.tif 000006